(57)【要約】      （修正有）【課題】外気からの侵入悪臭及びマスクに付着した細菌などによる汚染悪臭を消臭して、マスク内環境を常に良好な快適な清涼感覚あふれる香りのある状態を維持してマスク装着者の健康を守る等の優れた作用効果を呈するマスクを提供する。【解決手段】鼻と口の覆布１０１を有し、覆布の両側部に耳かけ部１０２を設けたマスク１００において、覆布に内ポケット１０３、１０４を設け、内ポケットに香料含有薄体１０７、１０８を取り出し可能に装入した。内ポケットは複数個設け、複数個の内ポケットの個々に香料含有薄体を別々に又は複数枚重ねて装入した。香料含有薄体とは、柔らかい薄板状にした不織布、織布、紙、綿わた、綿布等に香料を付着や混合させた、又は香料を含有させた、或いは香料を染み含浸させた物を言う。叉、香料含有薄体に含有する香料とは体に香水、お香、体に良い漢方薬等の香りのある薬草を言う。【選択図】図１
0003233830.tif 000002
【実用新案登録請求の範囲】
【請求項１】
鼻と口の覆布を有し、前記覆布の両側部に耳かけ部を設けたマスクにおいて、前記覆布に内ポケットを設け、前記内ポケットに香料含有薄体を取り出し可能に装入してなることを特徴とするマスク。
【請求項２】
前記内ポケットは複数個設け、前記複数個の内ポケットの個々に前記香料含有薄体を別々に又は重ねて装入したことを特徴とする請求項１に記載のマスク。
【考案の詳細な説明】
【技術分野】
【０００１】  本考案は、マスクに関する。
【背景技術】
【０００２】  口や鼻からの飛沫の拡散防止はマスクを使用する。このマスクは一般に、特許文献１に示すマスクＭのように図６に示すようにドーム型０１の本体布と、この本体布の両側縁部に耳かけ部０２を設けてなる。
近年のマスクの研究によれば、マスクによる口や鼻からの飛沫の拡散防止効果は。矩形状布が不織布、ポリエステル、綿より若干の違いはあるが不織布が最も高いと予測されている。ただ他のマスクでも約８割の飛沫を防げるとしている。
つまり通気性は綿、ポリエステル、不織布の順に高い。不織布の場合、せきによって出た飛沫が透過することはほぼないという。ただ、直径２０マイクロ（マイクロは１００万分の１）メートル以下の小さな飛沫については、マスクと顔のすき間から１割以上漏れる。
ポリエステルや綿の場合、繊維のすき間が比較的大きいため、小さな飛沫が最大４割も透過する場合があるという。ただ飛沫の体積でみると、どの素材でも約８割の飛沫の飛散が防げるという。
しかし、このような一般のマスクは自身の口からの該飛沫防止及び外気からの細菌・ウイルスの侵入防止以外の対策として外気からの悪臭侵入及び付着細菌などによる汚染悪臭などについては万全とは言えない。【０００３】
【先行技術文献】
【特許文献】
【０００４】
【特許文献１】意匠登録第１６７０９０８号
【考案の概要】
【考案が解決しようとする課題】
【０００５】  本考案は、該飛沫によるウイルス拡散の防止外気からの侵入細菌・ウイルスの除菌対策は勿論、外気からの侵入悪臭の消臭と付着細菌などによる汚染悪臭対策を確実に可能にしたマスクを提供する。
提供する。
【課題を解決するための手段】
【０００６】  上記課題を満足させる本考案における主な技術構成は、次の（１）〜（２）の通りである。
（１）、鼻と口の覆布を有し、前記覆布の両側部に耳かけ部を設けたマスクにおいて、前記覆布に内ポケットを設け、前記内ポケットに香料含有薄体を取り出し可能に装入してなることを特徴とするマスク。
（２）、前記内ポケットは複数個設け、前記複数個の内ポケットの個々に前記香料含有薄体を別々に又は重ねて装入したことを特徴とする前記（１）に記載のマスク。【０００７】  而して、本考案において前記香料含有薄体とは、柔らかい薄板状にした不織布、織布、紙、綿わた、綿布等に香料を付着や混合させた、又は香料を含有させた、或いは香料を染み込ませた物を言う。
また本考案において香料含有薄体における香料とは体に良い香水、お香、漢方薬等の香り薬草を言う。
【考案の効果】
【０００８】  本考案の前記マスクはマスクの内ポケット内に装入した前記香料含有薄体により外気からの侵入悪臭及びマスクに付着した細菌などによる汚染悪臭を消臭して、マスク内環境を常に良好な快適な清涼感覚あふれる香りのある状態を維持してマスク装着者の健康を守る等の優れた作用効果を呈するものである。
本考案のマスクにおいては、マスクに設けた内ポケット内に装入するものとして、前記香料含有薄体の他に、滅菌や消毒用として数％の希釈アルコール水溶液を含浸した綿布等を併用することも可能であると思料する。
【図面の簡単な説明】
【０００９】
【図１】本考案の除菌及び消臭機能付きマスクの実施例１を示す裏面説明図ある。
【図２】本考案のマスクの実施例２を示す裏面説明図である。
【図３】本考案のマスクの実施例３を示す裏面説明図である。
【図４】本考案のマスクの実施例４を示す裏面説明図である。
【図５】図５の矢視Ａ−Ａからの縦断面説明図である。
【図６】従来のマスク例を示す斜視図である。
【考案を実施するための形態】
【００１０】本考案を実施するための形態を図１〜図５に示す実施例１と実施例２により詳細に説明する。
【実施例１】
【００１１】実施例１を図１に示す。本実施例１のマスク１００は、裏面を示すが鼻と口の覆布１０１を有し、前記覆布１０１の両側部に耳かけ部１０２を設け、前記覆布１０１の裏面両側部に各々内ポケット１０３、１０４を設け、前記内ポケット１０３、１０４にその上に設けた装入口１０５，１０６から香料含有薄体１０７，１０８を取り出し交換可能に装入してある。
前記香料含有薄体１０７は、柔らかい薄円板状にした不織布にしてあり、香料としては例えば体に良い香水を含浸させてある。
この構成により実施例１のマスク１００は顔に掛ける際は顔面形状に沿って湾曲変形しフイットするので外気侵入及び口からの飛沫拡散も極端に減少すると共に前述の作用効果が確実に享受することができた。
【実施例２】
【００１２】実施例２を図２に示す。本実施例２のマスク２００は、裏面を示すが鼻と口の覆布２０１を有し、前記覆布２０１の両側部に耳かけ部２０２を設け、前記覆布２０１の裏面両側部に内ポケット２０３，２０４を設け、前記内ポケット２０３，２０４にその上に設けた装入口２０５，２０６から二枚の香料含有薄体２０７，２０８を重ねて取り出し交換可能に装入してある。
前記香料含有薄体２０７は、香料として香水と１％程度の希釈アルコール水溶液を混合した薄角板状の綿製の不織布にしてあり、前記香料含有薄体２０８は、香料として例えば漢方薬等の香り薬草を塗（まぶ）した薄角板状の綿織布にしてある。
この構成により実施例２のマスク２００は顔に掛ける際は顔面形状に沿って湾曲変形しフイットするので外気侵入及び口からの飛沫拡散も極端に減少すると共に前述の作用効果が確実に享受することができた。
【実施例３】
【００１３】  実施例３を図３に示す。本実施例３のマスク３００は、裏面を示すが鼻と口の覆布３０１を有し、前記覆布３０１の両側部に耳かけ部３０２，３０３を設け、前記覆布３０１の裏面に内ポケット３０４，３０５を交互に六段を段設し、前記内ポケット３０４，３０５にその一側端部の装入口３０６，３０７から香料含有薄体３０８，３０９を取り出し可能に装入してある。
香料含有薄体３０８は、香料として例えばお香を含有させたスティック状の細長い可撓性紙にしてある。
香料含有薄体３０９には、香料として例えば漢方薬等の香り薬草を含浸させてある。
この構成により実施例３のマスク２００は顔に掛ける際は顔面形状に沿って湾曲変形しフイットするので外気侵入及び口からの飛沫拡散も極端に減少すると共に前述の作用効果が確実に享受することができた。
【実施例４】
【００１４】  実施例４を図４と図５に示す。本実施例４のマスク４００は、鼻と口の二重覆布４０１を有し、前記二重覆布４０１の両側部に耳かけ部４０２を設けたマスクである。二重覆布４０１は縦断面図（２）に示すよう二枚の薄布で構成して、これを山折目４０３と谷折目４０４とを交互に折りこんだ多段折りマスクである。この多段折りの二重覆布４０１を利用して、山折目４０３に向う斜め域の二重部内を内ポケット４０５にしこの内ポケット４０５の上部に装入口４０６を設け、この装入口４０６から綿製の不織布にした香料含有薄体４０７を内ポケット４０５内に取り出し可能に装入したものである。
このマスク４００は顔に掛けると多段折り部が広がり、香料含有薄体４０７と共に顔の鼻と口元そして顎を覆つて消臭や脱臭領域を広く拡張する。
また前記香料含有薄体４０７は、香料として例えば前記数種類の香料を別々に含有させたものを用意して好みに合わせて選択して交換することができる。
この構成により実施例４のマスク２００は顔に掛ける際は顔面形状に沿って湾曲変形しフイットするので外気侵入及び口からの飛沫拡散も極端に減少すると共に前述の作用効果が確実に享受することができた。
【産業上の利用可能性】
【００１５】  本考案は前述の優れた作用効果を呈するため、医薬外品として一般家庭や医療従事者では勿論、マスク産業と医療産業に寄与と発展に貢献すること多大なものがある。
【符号の説明】
【００１６】１００、２００、３００、４００：マスク
１０３、１０４、２０３，２０４、３０４，３０５、４０５：内ポケット
１０５、１０６、２０５，２０６、３０６，３０７、４０６：装入口装入口装入口装入口
１０７，１０８、２０７，２０８、３０８、３０９、４０７：香料含有薄体      ４０３：山折目    ４０４：谷折目
【図１】
0003233830.tif 000003
【図２】
0003233830.tif 000004
【図３】
0003233830.tif 000005
【図４】
0003233830.tif 000006
【図５】
0003233830.tif 000007
【図６】
0003233830.tif 000008